(57)【要約】【課題】信号処理回路モジュールに制御部２に選択供給するクロック信号を切替えるクロック切替部を設けず、導出端子５、６の接続または非接続により切替えを行う信号処理回路モジュールを提供する。【解決手段】内部クロック信号を発生するクロック発生回路３、供給されるクロック信号により動作する制御部２、内部クロック信号で動作する信号処理回路４をモジュール基板１上に配置し、クロック発生回路３に接続された内部クロック信号出力端子５、制御部２に接続された外部クロック信号入力端子６をモジュール基板１から導出し、制御部２を内部クロック信号で動作させるとき、内部クロック信号出力端子５と外部クロック信号入力端子６を接続し、接続した２つの端子５、６を通して内部クロック信号を制御部２に供給し、制御部２を外部クロック信号で動作させるとき、外部クロック信号入力端子６に入力された外部クロック信号を制御部２に供給する。【選択図】        図１
2005025613.tif 000002
【特許請求の範囲】
【請求項１】
内部クロック信号を発生するクロック発生回路と、供給されるクロック信号により動作する制御部と、前記内部クロック信号により動作する信号処理回路とをモジュール基板上に配置し、前記クロック発生回路に接続された内部クロック信号出力端子と、前記制御部に接続された外部クロック信号入力端子とを前記モジュール基板の端縁部に導出し、前記制御部を前記内部クロック信号によって動作させるとき、前記内部クロック信号出力端子と前記外部クロック信号入力端子とを導電接続し、接続された内部クロック信号出力端子及び外部クロック信号入力端子を通して前記内部クロック信号を前記制御部に供給し、前記制御部を前記外部クロック信号によって動作させるとき、前記外部クロック信号入力端子に入力された外部クロック信号を前記制御部に直接供給していることを特徴とする信号処理回路モジュール。
【請求項２】
前記内部クロック信号出力端子と前記外部クロック信号入力端子は、前記モジュール基板の端縁部に隣接して導出されていることを特徴とする請求項１に記載の信号処理回路モジュール。
【請求項３】
前記制御部は、ＣＰＵであることを特徴とする請求項１もしくは２に記載の信号処理回路モジュール。
【請求項４】
前記信号処理回路は、信号送受信回路であることを特徴とする請求項１乃至３のいずれかに記載の信号処理回路モジュール。
【発明の詳細な説明】
【０００１】
【発明の属する技術分野】
本発明は、信号処理回路モジュールに係り、特に、クロック信号によって動作する制御部に、内部クロック信号または外部クロック信号を選択的に供給する際に、供給するクロック信号の選択を簡易な手段で切替えるようにした信号処理回路モジュールに関する。
【０００２】
【従来の技術】
一般に、信号処理回路モジュールにおいては、各部を制御するＣＰＵが搭載されており、そのＣＰＵを動作させるためにクロック信号が必要になる。ＣＰＵを動作させるクロック信号は、通常、内部クロック信号発生回路が発生する内部クロック信号が用いられるが、信号処理回路モジュールを特殊な用途に供される場合、例えば、信号処理回路モジュールがブルートゥース（Ｂｌｕｅｔｏｏｔｈ）モジュール等である場合には、内部クロック信号の代わりに外部から供給される外部クロック信号を用いることがある。
【０００３】
この種の信号処理回路モジュールにおいては、ＣＰＵに供給するクロック信号として、内部クロック信号を選択するか、または、外部クロック信号を選択するかを切替えるため、信号処理回路モジュール内にクロック信号切替部が設けられている。このようなクロック信号切替部には、通常、複数のチップ抵抗が用いられ、これらチップ抵抗の接続、非接続を選択してＣＰＵに供給するクロック信号の切替を行っている。
【０００４】
ここで、図２は、かかる既知のこの種の信号処理回路モジュールの構成の一例を示すもので、その要部構成を示すブロック図である。
【０００５】
図２に示されるように、この信号処理回路モジュールは、モジュール基板２１と、ＣＰＵ（制御部）２２と、クロック発生回路２３と、ブルートゥース用送受信回路（信号処理回路）２４と、２個のチップ抵抗Ｒ１、Ｒ２からなるクロック信号切替部２５と、外部クロック信号入力端子２６とを具備している。この場合、ＣＰＵ２２、クロック発生回路２３、ブルートゥース用送受信回路２４、クロック信号切替部２５は、いずれもモジュール基板２１上に配置形成され、外部クロック信号入力端子２６は、モジュール基板２１の端縁部に導出されている。
【０００６】
そして、ＣＰＵ２２は、内部クロック信号出力端子２６のチップ抵抗Ｒ１を通してクロック発生回路２３に接続され、同時に、内部クロック信号出力端子２６のチップ抵抗Ｒ２を通して外部クロック信号入力端子２６に接続される。クロック発生回路２３は、ブルートゥース用送受信回路２４に接続される。
【０００７】
前記構成を有する信号処理回路モジュールにおいて、クロック発生回路２３は、内部クロック信号を発生し、この内部クロック信号を送受信回路２４とクロック信号切替部２５に供給する。
【０００８】
いま、ＣＰＵ２２に内部クロック信号を供給し、ＣＰＵ２２を内部クロック信号によって制御動作させるとき、クロック信号切替部２５においては、チップ抵抗Ｒ１を接続した状態にし、チップ抵抗Ｒ２を非接続の状態に設定する。このような設定にすれば、クロック発生回路２３が発生した内部クロック信号がクロック信号切替部２５のチップ抵抗Ｒ１を通してＣＰＵ２２に供給され、ＣＰＵ２２がその内部クロック信号によって制御動作を実行する。この場合、クロック信号切替部２５は、外部クロック信号入力端子２６に外部クロック信号が供給されない場合、チップ抵抗Ｒ２を非接続の状態に設定せずに、接続状態にしたままでもよい。
【０００９】
一方、ＣＰＵ２２に外部クロック信号を供給し、ＣＰＵ２２を外部クロック信号によって制御動作させるとき、クロック信号切替部２５においては、チップ抵抗Ｒ１を非接続の状態にし、チップ抵抗Ｒ２を接続した状態に設定する。このような設定にすれば、クロック発生回路２３が発生した内部クロック信号がクロック信号切替部２５の非接続のチップ抵抗Ｒ１によって阻止され、外部から外部クロック信号入力端子２６に印加された外部クロック信号がクロック信号切替部２５のチップ抵抗Ｒ２を通してＣＰＵ２２に供給され、ＣＰＵ２２がその外部クロック信号によって制御動作を実行する。
【００１０】
【発明が解決しようとする課題】
前記既知のこの種の信号処理回路モジュールにおいては、ＣＰＵ２２に供給するクロック信号を切替えるために、予め信号処理回路モジュール内にクロック信号切替部２５を組み込む必要があるだけでなく、クロック信号の切替時にクロック信号切替部２５のチップ抵抗Ｒ１、Ｒ２の接続、非接続を切替える必要があるもので、クロック信号切替部２５のチップ抵抗Ｒ１、Ｒ２の接続、非接続を切替える場合、信号処理回路モジュールのカバーを外してこれらチップ抵抗Ｒ１、Ｒ２の接続、非接続を切替えるという煩雑な作業工程を踏まなければならない。
【００１１】
一方、クロック信号切替部２５におけるチップ抵抗Ｒ１、Ｒ２の接続、非接続の切替えを避けるために、内部クロック信号用としてクロック信号切替部２５のチップ抵抗Ｒ１だけが接続されている（チップ抵抗Ｒ２は非接続）信号処理回路モジュールと、外部クロック信号用としてクロック信号切替部２５のチップ抵抗Ｒ２だけが接続されている（チップ抵抗Ｒ１は非接続）信号処理回路モジュールの２種類の信号処理回路モジュールを用意し、ＣＰＵ２２に供給するクロック信号の種別に応じて信号処理回路モジュールを選択使用する手段も考えられていたが、この種の手段においては、予め２種類の信号処理回路モジュールを用意しなければならず、その分製造コストが上昇するようになる。
【００１２】
本発明は、このような技術的背景に鑑みてなされたもので、その目的は、信号処理回路モジュール内に制御部に選択供給するクロック信号の種類を切替えるクロック切替部を設けずに、導出端子の接続または非接続により簡単に切替えを行う信号処理回路モジュールを提供することにある。
【００１３】
【課題を解決するための手段】
前記目的を達成するために、本発明による信号処理回路モジュールは、内部クロック信号を発生するクロック発生回路と、供給されるクロック信号により動作する制御部と、内部クロック信号により動作する信号処理回路とをモジュール基板上に配置し、クロック発生回路に接続された内部クロック信号出力端子と、制御部に接続された外部クロック信号入力端子とをモジュール基板の端縁部に導出し、制御部を内部クロック信号によって動作させるとき、内部クロック信号出力端子と外部クロック信号入力端子とを導電接続し、接続された内部クロック信号出力端子及び外部クロック信号入力端子を通して内部クロック信号を制御部に供給し、制御部を外部クロック信号によって動作させるとき、外部クロック信号入力端子に入力された外部クロック信号を制御部に直接供給するようにした手段を備える。
【００１４】
このような手段によれば、制御部を内部クロック信号によって動作させるとき、内部クロック信号出力端子と外部クロック信号入力端子とを導電接続し、接続された内部クロック信号出力端子及び外部クロック信号入力端子を通して内部クロック信号を制御部に供給するようにし、制御部を外部クロック信号によって動作させるとき、外部クロック信号入力端子に入力された外部クロック信号を制御部に直接供給するようにしているもので、制御部に供給されるクロック信号の種類の切替えを、モジュールケースから外部に導出されている内部クロック信号出力端子及び外部クロック信号入力端子の接続または非接続の選択によって行っているので、モジュールケースを外したり、チップ抵抗の接続、非接続状態を変更したりする煩雑が作業工程がなくなり、その上に、２種類の信号処理回路モジュールを用意する必要がなく、安価な信号処理回路モジュールが得られる。
【００１５】
前記手段において、内部クロック信号出力端子と外部クロック信号入力端子は、モジュール基板の端縁部に隣接して導出された構成にすることが好ましい。
【００１６】
このような構成にすれば、内部クロック信号出力端子と外部クロック信号入力端子とが隣接配置されているため、それらの接続及び非接続を接続リード等の簡単な接続選択手段によって行うことができる。
【００１７】
【発明の実施の形態】
以下、本発明の実施の形態を図面を参照して説明する。
【００１８】
図１は、本発明による信号処理回路モジュールの一つの実施の形態を示すもので、その要部構成を示すブロック図である。
【００１９】
図１に示されるように、この実施の形態による信号処理回路モジュールは、モジュール基板１と、ＣＰＵ（制御部）２と、クロック発生回路３と、ブルートゥース用送受信回路（信号処理回路）４と、内部クロック信号出力端子５と、外部クロック信号入力端子６とを具備している。この場合、ＣＰＵ２、クロック発生回路３、ブルートゥース用送受信回路４は、いずれもモジュール基板１上に配置形成され、内部クロック信号出力端子５、外部クロック信号入力端子６は、モジュール基板１の端縁部に導出されている。
【００２０】
そして、ＣＰＵ２は、外部クロック信号入力端子６に接続される。クロック発生回路３は、ブルートゥース用送受信回路４及び内部クロック信号出力端子５に接続される。
【００２１】
前記構成を備えた信号処理回路モジュールにおいて、クロック発生回路３は、内部クロック信号を発生し、この内部クロック信号をブルートゥース用送受信回路４と内部クロック信号出力端子５に供給する。
【００２２】
ここで、ＣＰＵ２に内部クロック信号を供給し、ＣＰＵ２を内部クロック信号によって制御動作させるとき、内部クロック信号出力端子５と外部クロック信号入力端子６との間を通常の接続手段、例えば接続リード等により導電接続する。このような接続状態にすれば、クロック発生回路３が発生した内部クロック信号は、内部クロック信号出力端子５からそれに導電接続された外部クロック信号入力端子６を通してＣＰＵ２に供給され、ＣＰＵ２がその内部クロック信号によって制御動作を実行する。この場合、外部クロック信号入力端子６は、外部クロック信号が供給されない状態に設定しておく。
【００２３】
これに対して、ＣＰＵ２に外部クロック信号を供給し、ＣＰＵ２を外部クロック信号によって制御動作させるとき、内部クロック信号出力端子５と外部クロック信号入力端子６との間を非接続状態にし、外部クロック信号入力端子６に外部クロック信号を供給する。このような接続状態にすれば、外部から外部クロック信号入力端子６に印加された外部クロック信号が直接ＣＰＵ２に供給され、ＣＰＵ２がその外部クロック信号によって制御動作を実行する。
【００２４】
このように、この実施の形態による信号処理回路モジュールによれば、ＣＰＵ２に供給されるクロック信号の種類の切替えを、内部クロック信号出力端子５及び外部クロック信号入力端子６の接続または非接続を選択して行っているので、モジュールケースを外したり、チップ抵抗の接続、非接続状態を変更したりする煩雑が作業工程がなくなり、しかも、２種類の信号処理回路モジュールを用意する必要がなくなって、安価な信号処理回路モジュールを得ることができる。
【００２５】
なお、前記実施の形態においては、信号処理回路がブルートゥース用送受信回路４である場合を例に挙げて説明したが、本発明による信号処理回路はブルートゥース用送受信回路である場合に限られるものでなく、それに類した信号処理回路であってもよいことは勿論である。
【００２６】
【発明の効果】
以上のように、本発明によれば、制御部を内部クロック信号によって動作させるとき、内部クロック信号出力端子と外部クロック信号入力端子とを導電接続し、接続された内部クロック信号出力端子及び外部クロック信号入力端子を通して内部クロック信号を制御部に供給するようにし、制御部を外部クロック信号によって動作させるとき、外部クロック信号入力端子に入力された外部クロック信号を制御部に直接供給するようにしているもので、制御部に供給されるクロック信号の種類の切替えを、モジュールケースから外部に導出されている内部クロック信号出力端子及び外部クロック信号入力端子の接続または非接続の選択によって行っているので、モジュールケースを外したり、チップ抵抗の接続、非接続状態を変更したりする煩雑が作業工程がなくなり、その上に、２種類の信号処理回路モジュールを用意する必要がなく、安価な信号処理回路モジュールが得られるという効果がある。
【図面の簡単な説明】
【図１】本発明による信号処理回路モジュールの１つの実施の形態を示すもので、その要部構成を示すブロック図である。
【図２】既知の信号処理回路モジュールの構成の一例を示すもので、その要部構成を示すブロック図である。
【符号の説明】
１  モジュール基板
２  ＣＰＵ（制御部）
３  クロック発生回路
４  ブルートゥース用送受信回路（送受信回路）
５  内部クロック信号出力端子
６  外部クロック信号入力端子
【図１】
2005025613.tif 000003
【図２】
2005025613.tif 000004